(57)【要約】      （修正有）【課題】ブーケ本体に、異なる色調、異なるタイプのブーケ、或いは装飾材などを簡単で位置安定的に組み合わせ、異なる色調、形状の複数の衣装に１つのブーケでカラーコーディネートできる多様性ブーケを提供する。【解決手段】多様性ブーケ１は、ラウンドブーケタイプのブーケ本体２と、シャワーブーケタイプのウィッグ部３の組み合わせであり、ブーケ本体２と、ウィッグ部３とが着脱自在に合体可能であって、ウィッグ部３が、ブーケ本体２に、側面又は上下方向で組み合わされ、或いは何れかにワンポイント若しくは紐状に付加される。ウィッグ部３は、ブーケ本体２と異なる色調でタイプが同種若しくは異種のブーケ、ブーケ本体２と同様の色調でタイプが異種のブーケ、又は装飾材である。【選択図】図１
0003231852.tif 000002
【実用新案登録請求の範囲】
【請求項１】
ブーケ本体と、ウィッグ部とが着脱自在に合体可能であって、
前記ウィッグ部が、前記ブーケ本体に、
側面で組み合わせ、又は上下方向で組み合わされ、或いは何れかにワンポイント若しくは紐状に付加される、
前記ブーケ本体と異なる色調でタイプが同種若しくは異種のブーケ、
前記ブーケ本体と同様の色調でタイプが異種のブーケ、
又は装飾材
であることを特徴とする多様性ブーケ。
【請求項２】
前記ブーケ本体又は／及び前記ウィッグ部は、磁石を装着した持ち手を備え、前記持ち手同士で着脱自在に磁着することを特徴とする請求項１に記載の多様性ブーケ。
【請求項３】
前記持ち手は、
上部に花、葉、ツタ又は装飾を備える茎部の束と、
前記茎部の束に添えられた添え板と、
前記添え板の位置に配置されるマグネットシートと、
前記茎部、前記添え板又は前記マグネットシートの位置固定又はマスクに巻かれたテープと、
からなることを特徴とする請求項２に記載の多様性ブーケ。
【請求項４】
前記ブーケ本体の茎の束に前記茎より短い棒を備え、前記ウィッグ部に取付部を備え、前記棒と前記取付部の係止によって着脱自在としたことを特徴とする請求項１に記載の多様性ブーケ。
【考案の詳細な説明】
【技術分野】
【０００１】
本考案は、ブーケ本体に、異なる色調、異なるタイプのブーケ、或いは装飾材などを簡単で位置安定的に組み合わせ、異なる色調、形状の複数の衣装に１つのブーケでカラーコーディネートできる多様性ブーケに関する。
【背景技術】
【０００２】
結婚式、披露宴などにおいて、ドレス、スーツに合わせ、色、形とも相性のよい生花或いは造花の花束、ブーケ、結婚式では新郎の衣装のボタンホールまたは胸ポケットに挿す花飾り（コサージュ）であるブートニアなど（以下、単にブーケなどともいう。）が手に持たれ、或いは衣装に挿され、髪冠りとしてカラーコーディネートされる。そして、衣装替えがある場合、異なる色調、形状のブーケを用意するのが通常である。
【０００３】
その結果、衣装を着ける者は、衣装の他に、衣装と同数のブーケを用意する必要があり、費用が嵩むこととなり、問題であった。
【０００４】
ブーケの費用は、造花のウェディングブーケであっても１つ、３万円前後する。花冠りやリストレットを追加するとトータル５万円前後が相場である。ドレスはレンタルしてもブーケは結婚の記念にと、オーダーや手作りする花嫁が多く、一生に一度の挙式なので、安価なブーケでなく高価なブーケをオーダーする傾向にある。
【０００５】
結婚式の準備は、先ずウェディングドレスを決め、そのドレスに合わせウェディングブーケを決める。純白のウェディングドレスとピンク色などのカラードレスをそれぞれ着る場合、ブーケもそれらにカラーコーディネートされて２つ作る花嫁もいるが、コーディネートを妥協して１つだけ作製して間に合わせる花嫁も多くいる。
【先行技術文献】
【非特許文献】
【０００６】
【非特許文献１】https://www.niwaka.com/ksm/radio/wedding/floral-decorations-bouqu/bouquet/02/
【非特許文献２】https://marry-xoxo.com/articles/2159
【非特許文献３】https://www.creema.jp/blog/939/detail
【非特許文献４】https://luna-rosa.net/cascade-teardrop-difference
【非特許文献５】https://osusume.mynavi.jp/articles/2515/
【考案の概要】
【考案が解決しようとする課題】
【０００７】
そこで、本考案は、ブーケ本体に、異なる色調、異なるタイプのブーケ、或いは装飾材などを簡単で位置安定的に組み合わせ、異なる色調、形状の複数の衣装に１つのブーケでカラーコーディネートできる多様性ブーケを提供することを目的とする。
【課題を解決するための手段】
【０００８】
本考案は、上記の課題を解決するために、
（１）
ブーケ本体と、ウィッグ部とが着脱自在に合体可能であって、
前記ウィッグ部が、前記ブーケ本体に、
側面で組み合わせ、又は上下方向で組み合わされ、或いは何れかにワンポイント若しくは紐状に付加される、
前記ブーケ本体と異なる色調でタイプが同種若しくは異種のブーケ、
前記ブーケ本体と同様の色調でタイプが異種のブーケ、
又は装飾材
であることを特徴とする多様性ブーケ。
（２）
前記ブーケ本体又は／及び前記ウィッグ部は、磁石を装着した持ち手を備え、前記持ち手同士で着脱自在に磁着することを特徴とする（１）に記載の多様性ブーケ。
（３）
前記持ち手は、
上部に花、葉、ツタ又は装飾を備える茎部の束と、
前記茎部の束に添えられた添え板と、
前記添え板の位置に配置されるマグネットシートと、
前記茎部、前記添え板又は前記マグネットシートの位置固定又はマスクに巻かれたテープと、
からなることを特徴とする（２）に記載の多様性ブーケ。
（４）
前記ブーケ本体の茎の束に前記茎より短い棒を備え、前記ウィッグ部に取付部を備え、前記棒と前記取付部の係止によって着脱自在としたことを特徴とする（１）に記載の多様性ブーケ。
とした。
【０００９】
ここで、ブーケの形状、種類について以下説明する。それらは非特許文献１−５などから抜粋引用などである。
【００１０】
・ラウンドブーケ：その名の通り、丸いドーム型のブーケです。正面から見ると、球形に見えます。ウェディングブーケの定番のカタチなので、見たことがある人も多いかもしれませんね。お花が密集しているので、見た目も華やか。使う花の種類によって、可愛くもエレガントにもアレンジができます。（非特許文献１）
・シャワーブーケ：シャワーブーケは、まるでシャワーや噴水がはじけるようにお花やグリーンが放射状に広がる幻想的なデザインのブーケです。（非特許文献２）
・キャスケードブーケ：「キャスケード」とは、英語で「小さな滝」の意味です。その名前の通り、流れるような縦長のラインが特徴。大きめの花や葉を組み合わせて作られることが多く、気品と存在感があります。荘厳な教会式などにもぴったりのブーケです。（非特許文献１）
上から下に滝のように流れるような形のキャスケードブーケに似ていますが、違いはシャワーブーケの方が花束の横幅が広いところ（非特許文献２）
・ガーランドブーケ：ガーランド（ｇａｒｌａｎｄ）という英単語は、もともとは名誉のしるしとして贈られた花輪・花冠、現在では一般的に「花や植物、果実を使ったひも状の装飾品」を意味しています。（非特許文献３）
紐状に花、葉を繋げたブーケである。
・ティアドロップブーケ：ティアドロップブーケの「ティアドロップ」は「涙のしずく」という意味で、しずくを逆さまにしたような形のブーケです。基本的にはキャスケードブーケと同じ逆三角形型をしていますが、キャスケードブーケよりも下の垂れ下がる部分が短いのが特徴です。（非特許文献４）
【００１１】
本考案の多様性ブーケでは、上記ブーケの他、花束、髪冠り、ブートニア、或いはリボンやテープなどの装飾材なども含めてブーケ本体に着脱可能に取り付けられる装飾を、ウィッグ部という。
【００１２】
ブーケ本体に、ウィッグ部をセットし、本考案の多様性ブーケの向きを変えるなどすることで、慣用されているブーケの複数種類を１つの多様性ブーケで演出することができるようになる。複数のウィッグ部を付加すれば、さらに多様に変化した見た目になる。
【考案の効果】
【００１３】
本考案である多様性ブーケは、上記構成であるので、ブーケ本体に、異なる色調、異なるタイプのブーケ、或いは装飾材などを簡単で位置安定的に組み合わせ、異なる色調、形状の複数の衣装に１つのブーケでカラーコーディネートすることができる。本考案であれば、複数のブーケを作るよりもリーズナブルになり、出費の多いウエディングイベントにおいてとても有効で、重宝される。ウェディングドレスに合わせて、好みのウィッグ部を簡単に選択、着脱できる。
【００１４】
造花であれば、結婚式などでの使用後、ブーケ本体、ウィック部を、記念として、花束などにして、インテリアとして身近に飾って置くことができる。ブートニアもインテリアとなる。もちろん生花を用いても、本考案の範疇に含まれる。
【図面の簡単な説明】
【００１５】
【図１】図１は第一実施例で、（Ｂ）ラウンドブーケタイプのブーケ本体２と、（Ａ）シャワーブーケタイプのウィッグ部３を組み合わせた、（Ｃ）多様性ブーケ１である。
【図２】本考案の多様性ブーケのブーケ本体の構造、作製説明図である。
【図３】本考案の多様性ブーケのウィッグ部の構造、作製説明図である。
【図４】本考案の多様性ブーケのカバーの構造、作製説明図である。
【図５】図５は第二実施例で、（Ａ）白色系のラウンドブーケタイプのブーケ本体２と、（Ｂ）ピンク色系のラウンドブーケタイプのウィッグ部３を組み合わせた、全体としてもラウンドブーケタイプの（Ｃ）多様性ブーケ１ａである。
【図６】図６は第三実施例で、（Ｂ）ラウンドブーケタイプのブーケ本体２と、（Ａ）キャスケードブーケタイプのウィッグ部３を組み合わせた、（Ｃ）多様性ブーケ１ｂである。
【図７】図７は第四実施例で、（Ｂ）ラウンドブーケタイプのブーケ本体２と、（Ａ）ガーランドブーケタイプのウィッグ部３を組み合わせた、（Ｃ）多様性ブーケ１ｃである。
【図８】図８は第五実施例で、（Ｂ）ラウンドブーケタイプのブーケ本体２と、（Ａ）ティアドロップブーケタイプのウィッグ部３を組み合わせた、（Ｃ）多様性ブーケ１ｄである。
【図９】図９は第六実施例で、（Ａ）ラウンドブーケタイプのブーケ本体２と、（Ｂ）リボンレイブーケタイプのウィッグ部３を組み合わせた、（Ｃ）多様性ブーケ１ｅである。
【図１０】図１０は第七実施例で、（Ａ）左：ラウンドブーケタイプのブーケ本体１２、（Ａ）右：キャスケードブーケタイプのウィッグ部１３を組み合わせた、（Ｅ）多様性ブーケ１１である。図１０（Ｂ）はラウンドブーケタイプのブーケ本体１２の表面、（Ｃ）はブーケ本体１２の裏面、（Ｄ）はブーケ本体１２の右側面である。
【図１１】図１１は、第七実施例の作製説明図である。
【考案を実施するための形態】
【００１６】
以下、添付の図面を参照し、本考案の実施の形態の一例について詳細に説明する。なお、本考案は下記実施例に限定されるものではない。
【実施例１】
【００１７】
図１の第一実施例に示すように、本考案の多様性ブーケ１は、ラウンドブーケタイプのブーケ本体２と、シャワーブーケタイプのウィッグ部３を組み合わせてなる。
【００１８】
ブーケ本体２は、例えば、図２に示すように作製してなる。添え板４ａ（Ａ）を茎部２ｄの束に添え、グルーなどで接着（Ｂ）したうえで、ここでは、茎部２ｄの色の緑色のフローラルテープ４ｂを茎部２ｄ及び添え板４ａに巻く（Ｃ）。
【００１９】
添え板４ａは茎部の補強であり、マグネットシート４ｃを安定的に保持するための板で、プラスチック、木、金属の素材が採用できる。
【００２０】
フローラルテープ４ｂとは、非特許文献５に、「粘着力のある素材でできたお花用のテープのことで、茎が弱って折れそうになった時の補強や、茎に見立てたワイヤーを固定する際などに使われるため緑色のものが多いです。緑といってもさまざまな色があり、ほかにも用途に合わせて、白色や茶色などもあります。」と示されているように、フラワーアレンジメントなどにおいて慣用されている。種々に着色されたテープで、部材の固定、見せたくないものマスクに利用する。
【００２１】
次いで、図２（Ｄ）に示すように、ここでは、フローラルテープ４ｂの表面にマグネットシート４ｃをグルーなどで接着（Ｅ）した。そして、フローラルテープ４ｂ及びマグネットシート４ｃの上から、リボン４ｄを巻いて、グルーで固化させることで、マグネットシート４ｃを位置固定するとともにマグネットシート４ｃをマスクして持ち手４とした（Ｆ）（Ｇ）。すると、図２（Ｈ）に示すように、持ち手４を備えるブーケ本体２が完成する。
【００２２】
ここでのブーケ本体２は、茎部２ｄの上部に花２ａ、葉２ｂ、或いはツタ２ｃを備える、造花の束である。また、添え板４ａと、マグネットシート４ｃをセットしたうえで、フローラルテープ４ｂ、リボン４ｄを施しても、又はフローラルテープ４ｂだけでも、或いはリボン４ｄだけでもよい。
【００２３】
ウィッグ部３は、例えば、図３に示すように作製してなる。茎部３ｄの束（Ａ）に、添え板４ａをグルーなどで接着（Ｂ）したうえで、ここでは、茎部２ｄの色の緑色のフローラルテープ４ｂを茎部２ｄ及び添え板４ａに巻く（Ｃ）。
【００２４】
次いで、図３（Ｄ）（Ｅ）に示すように、フローラルテープ４ｂにリボン４ｄを巻き、グルーで固化させる。そして、ここでは、リボン４ｄの上にマグネットシート４ｃをグルー、両面テープなどで接着、固定して（Ｆ）、持ち手４ｅを備えるウィッグ部３が完成する。
【００２５】
ここでのウィッグ部３は、茎部３ｄの上部に花３ａ、葉３ｂ、或いはツタ３ｃを備える、造花の束である。
【００２６】
カバー５は、例えば、図４に示すように作製してなる。茎部２ｄ、３ｄの芯材であるワイヤーを必要な数（持ち手４、４ｅの数相当）束ねた上に、プラスチック袋５ａを被せ、その上にクッキングシート５ｂで覆う（Ａ）。
【００２７】
続いて、ワイヤーを保持したままクッキングシート５ｂの上にリボン５ｃを巻く（Ｂ）。そして、グルーガン５ｄなどを用いて、リボン５ｃを接着、固化して、形状保持させる。固化した後、クッキングシートを巻いたリボン５ｃから外せば、持ち手４、４ｅを磁石させて把持する部分に調度よく嵌まるカバー５が完成する（Ｃ）。カバー５に、透明のキャップ、輪ゴムなどの滑り止めを付加してもよい。
【００２８】
ここでは、カバー５を含めて、把持部４ｆというが、カバー５を省略、他の被覆に変更したとしても、手で把持する限りも把持部である。カバー５は、持ち手４、４ｅの磁着が万が一分離しないよう、嵌めるもので、リボン紐でも、レースカバーを巻いても同様に分離防止に使用できる。
【実施例２】
【００２９】
図５に示す多様性ブーケ１ａは、正面側（Ａ）が白色系のラウンドブーケタイプのブーケ本体２、背面側（Ｂ）がピンク色系のラウンドブーケタイプのウィッグ部３を組み合わせた、全体としてもラウンドブーケタイプ（Ｃ）を形成する。
【００３０】
多様性ブーケ１ａの正面、背面色に、それぞれにカラーコーディネートされたブートニアも用意する。（Ｄ）は正面側にカラーコーディネートされた白色系ブートニア、（Ｅ）は背面側にカラーコーディネートされた白色系ブートニア
【実施例３】
【００３１】
図６に示す多様性ブーケ１ｂは、ラウンドブーケタイプのブーケ本体２（Ｂ）と、キャスケードブーケタイプのウィッグ部３（Ａ）を組み合わせてなる（Ｃ）。
【実施例４】
【００３２】
図７に示す多様性ブーケ１ｃは、ラウンドブーケタイプのブーケ本体２（Ｂ）と、ガーランドブーケタイプのウィッグ部３（Ａ）を組み合わせてなる（Ｃ）。
【実施例５】
【００３３】
図８に示す多様性ブーケ１ｄは、ラウンドブーケタイプのブーケ本体２（Ｂ）と、ティアドロップブーケタイプのウィッグ部３（Ａ）を組み合わせ（磁着（Ｃ）し）てなる（Ｄ）。
【実施例６】
【００３４】
図９に示す多様性ブーケ１ｅは、ラウンドブーケタイプのブーケ本体２（Ａ）と、リボンレイブーケタイプのウィッグ部３（Ｂ）を組み合わせてなる（Ｃ）。
【実施例７】
【００３５】
図１０に示すように、第七実施例である本考案の多様性ブーケ１１は、図１０（Ａ）左：ラウンドブーケタイプのブーケ本体１２と、図１０（Ａ）右：キャスケードブーケタイプのウィッグ部１３を組み合わせ、さらにリボン１５を付加してなる。
【００３６】
ここでは、ブーケ本体１２を表裏で異なる色調にしたラウンドブーケタイプを採用した。図１０（Ｂ）はブーケ本体１２の表面（オフホワイトカラー調）、図１０（Ｃ）はブーケ本体１２の裏面（ピンクカラー調）、図１０（Ｄ）はブーケ本体１２の右側面（左側が表でオフホワイトカラー、右側が裏面でピンクカラー調）である。
このように、ブーケ本体１２を表裏で異なる色調にすることで、ブーケ本体１２にも色調的なバリエーション化を可能にする。
【００３７】
図１１を参照して、係止式の多様性ブーケ１１の製造方法について説明する。
【００３８】
図１１（Ａ）に示すように、ブーケ本体１２の枝１２ｄに取付部１３ａを掛ける棒１２ａを加えて、図１１（Ｂ）に示すようにまとめてフローラルテープ４ｂで束ねる。その際、図１０（Ｂ）に示すように、棒１２ａは数センチ、取っ手１２ｂのフローラルテープ４ｂの上方から突出させる。
【００３９】
棒１２ａは、造花の枝を利用する。ブーケ本体１２の他の枝１２ｄと区別し易いように、白色フローラルテープなどのテープを目印１２ｃとして棒１２ａに巻くとよい。
【００４０】
他方、ウィッグ部１３は、図１１（Ｃ）に示すように、ワイヤーを枝１３ｆの束に巻き付け、環状の取付部１３ａを上部に形成する。取付部１３ａを他の枝１３ｆと区別し易いように、白色フローラルテープなどのテープを目印１３ｅとしてワイヤーに巻くとよい。また、取っ手１３ｂも束ねるため、フローラルテープ４ｂを巻くとよい（図１１（Ｄ））。
【００４１】
そのうえで、ウィッグ部１３の取っ手１３ｂに、バンド１３ｃを取り付ける（図１１（Ｅ））。バンド１３ｃには面ファスナー１３ｄが縫着されており、ブーケ本体１２とウィッグ部１３の一体化保持に利用する。バンド１３ｃとしてはリボンなどが例示できる。
【００４２】
ブーケ本体１２とウィッグ部１３の一体化は、図１１（Ｆ）に示すように、まず、棒１２ａに、ここでは環状の取付部１３ａを係止し、ブーケ本体１２の取っ手１２ｂとウィッグ部１３の取っ手１３ｂを合わせたうえで、バンド１３ｃを巻き、面ファスナー１３ｄをバンド１３ｃ貼り付けることで、把持部１４を一体化、保持し、多様性ブーケ１１を形成することができる。
【００４３】
棒１２ａと取付部１３ａ、面ファスナー１３ｄを備えるバンド１３ｃによる、一体化では、着脱が容易で、多様性ブーケ１１の多様な形態を瞬時に、１分もあれば十分、変更することができ、衣装の着替えの範囲で変更可能で、イベントのスムーズな進行を妨げず、多様なブーケを表現することできる。
【符号の説明】
【００４４】
１      多様性ブーケ
１ａ    多様性ブーケ
１ｂ    多様性ブーケ
１ｃ    多様性ブーケ
１ｄ    多様性ブーケ
１ｅ    多様性ブーケ
２      ブーケ本体
２ａ    花
２ｂ    葉
２ｃ    ツタ
２ｄ    茎部
３      ウィッグ部
３ａ    花
３ｂ    葉
３ｃ    ツタ
３ｄ    茎部
４      持ち手
４ａ    添え板
４ｂ    フローラルテープ
４ｃ    マグネットシート
４ｄ    リボン
４ｅ    持ち手
４ｆ    把持部
５      カバー
５ａ    プラスチック袋
５ｂ    クッキングシート
５ｃ    リボン
５ｄ    グルーガン
１１    多様性ブーケ
１２    ブーケ本体
１２ａ  棒
１２ｂ  取っ手
１２ｃ  目印
１２ｄ  枝
１３    ウィッグ部
１３ａ  取付部
１３ｂ  取っ手
１３ｃ  バンド
１３ｄ  面ファスナー
１３ｅ  目印
１３ｆ  枝
１４    把持部
１５    リボン
【図１】
0003231852.tif 000003
【図２】
0003231852.tif 000004
【図３】
0003231852.tif 000005
【図４】
0003231852.tif 000006
【図５】
0003231852.tif 000007
【図６】
0003231852.tif 000008
【図７】
0003231852.tif 000009
【図８】
0003231852.tif 000010
【図９】
0003231852.tif 000011
【図１０】
0003231852.tif 000012
【図１１】
0003231852.tif 000013